【手続補正書】
【提出日】平成17年12月15日(2005.12.15)
【手続補正１】
【補正対象書類名】明細書
【補正対象項目名】特許請求の範囲
【補正方法】変更
【補正の内容】
【特許請求の範囲】
【請求項１】  複数の画像データを記憶する記憶手段と、
複数ページからなる印刷物をページ単位で電子的に読み取る読取手段と、
前記印刷物の電子データに対応する画像データを前記記憶手段から検索する検索手段と、
前記検索手段による検索結果に基づいて、前記印刷物の次ページの印刷物を前記読取手段で読み取り、その次ページの印刷物の電子データに対応する画像データを前記検索結果から前記検索手段によって検索する制御手段と
を備えることを特徴とする画像処理装置。
【請求項２】  前記制御手段は、前記検索手段による検索結果として、前記印刷物の電子データに対応する画像データが一意に特定された場合、該印刷物の次ページ以降の印刷物の前記読取手段による読取を終了する
ことを特徴とする請求項１に記載の画像処理装置。
【請求項３】  前記検索手段は、前記読取手段で読み取った印刷物の電子データと比較する候補画像データ群を管理する候補リストに従って、候補画像データ群を前記記憶手段より取得する取得手段と、
前記取得手段で取得した候補画像データ群と前記印刷物の電子データを比較する比較手段とを備え、
前記比較手段の比較結果に基づいて、前記印刷物の電子データに対応する画像データを前記候補画像データ群から検索する
ことを特徴とする請求項１に記載の画像処理装置。
【請求項４】  前記制御手段は、前記検索手段による検索結果に基づいて、前記候補リストの内容を更新し、前記印刷物の次ページの印刷物を前記読取手段で読み取り、その次ページの印刷物の電子データに対応する画像データを前記更新された候補リストから前記検索手段によって検索する
ことを特徴とする請求項３に記載の画像処理装置。
【請求項５】  前記印刷物の電子データに含まれるページ画像のページ数を指定する指定手段を更に備え、
前記比較手段は、前記指定手段で指定されたページ数に基づいて決定される処理対象領域の部分電子データと、前記取得手段で取得した候補画像データ群と比較する
ことを特徴とする請求項３に記載の画像処理装置。
【請求項６】  前記比較手段は、前記印刷物の電子データの特徴量を抽出する抽出手段を備え、
前記抽出手段で抽出した特徴量を用いて、前記印刷物の電子データと、前記取得手段で取得した候補画像データ群と比較する
ことを特徴とする請求項３に記載の画像処理装置。
【請求項７】  前記抽出手段は、前記印刷物の電子データの画像特徴量及び文字特徴量のいずれかまたは両方を抽出する
ことを特徴とする請求項６に記載の画像処理装置。
【請求項８】  複数ページからなる印刷物をページ単位で電子的に読み取る読取工程と、
前記印刷物の電子データに対応する画像データを記憶媒体に記憶されている複数の画像データから検索する検索工程と、
前記検索工程による検索結果に基づいて、前記印刷物の次ページの印刷物を前記読取工程で読み取り、その次ページの印刷物の電子データに対応する画像データを前記検索結果から前記検索手段によって検索する制御工程と
を備えることを特徴とする画像処理装置の制御方法。
【請求項９】  複数ページからなる印刷物をページ単位で電子的に読み取る読取工程と、
前記印刷物の電子データに対応する画像データを記憶媒体に記憶されている複数の画像データから検索する検索工程と、
前記検索工程による検索結果に基づいて、前記印刷物の次ページの印刷物を前記読取工程で読み取り、その次ページの印刷物の電子データに対応する画像データを前記検索結果から前記検索手段によって検索する制御工程と
をコンピュータに実行させることを特徴とするプログラム。
【請求項１０】  それぞれが複数のページを有する複数の画像データを記憶する記憶手段と、
複数のページからなる印刷物をページ単位で電子的に読み取る読取手段と、
前記読取手段で読み取ったページ単位で、前記記憶手段に記憶された画像データの各ページと比較する比較手段と、
前記比較手段の比較結果に基づき、前記印刷物に類似する画像データを抽出する抽出手段と
を備えことを特徴とする画像処理装置。
【請求項１１】  複数ページからなる印刷物をページ単位で電子的に読み取る読取工程と、
前記読取工程で読み取ったページ単位で、記憶手段に記憶されている画像データを構成するそれぞれのページと比較する比較工程と、
前記比較工程の結果に基づき、前記印刷物に類似する画像データを抽出する抽出工程と
を備えることを特徴とする画像処理装置の制御方法。
【手続補正２】
【補正対象書類名】明細書
【補正対象項目名】００２２
【補正方法】変更
【補正の内容】
【００２２】
上記の目的を達成するための本発明によるプログラムは以下の構成を備える。即ち、
複数ページからなる印刷物をページ単位で電子的に読み取る読取工程と、
前記印刷物の電子データに対応する画像データを記憶媒体に記憶されている複数の画像データから検索する検索工程と、
前記検索工程による検索結果に基づいて、前記印刷物の次ページの印刷物を前記読取工程で読み取り、その次ページの印刷物の電子データに対応する画像データを前記検索結果から前記検索手段によって検索する制御工程と
をコンピュータに実行させることを特徴とする。
上記の目的を達成するために本発明による画像処理装置は以下の構成を備える。即ち、
それぞれが複数のページを有する複数の画像データを記憶する記憶手段と、
複数のページからなる印刷物をページ単位で電子的に読み取る読取手段と、
前記読取手段で読み取ったページ単位で、前記記憶手段に記憶された画像データの各ページと比較する比較手段と、
前記比較手段の比較結果に基づき、前記印刷物に類似する画像データを抽出する抽出手段と
を備える。
上記の目的を達成するために本発明による画像処理装置の制御方法は以下の構成を備える。
即ち、
複数ページからなる印刷物をページ単位で電子的に読み取る読取工程と、
前記読取工程で読み取ったページ単位で、記憶手段に記憶されている画像データを構成するそれぞれのページと比較する比較工程と、
前記比較工程の結果に基づき、前記印刷物に類似する画像データを抽出する抽出工程と
を備える。
【手続補正３】
【補正対象書類名】明細書
【補正対象項目名】００７４
【補正方法】変更
【補正の内容】
【００７４】
次に、ステップＳ３２１６で、それぞれのブロックに対応する特徴量をページ単位にまとめ、文書ＩＤ、ページ番号、ブロックＩＤに関連付けてデータベース１１８に特徴量情報として記憶する。この処理は、ステップＳ３０１８と同じ処理である。
【手続補正４】
【補正対象書類名】明細書
【補正対象項目名】０１３１
【補正方法】変更
【補正の内容】
【０１３１】
比較元画像（紙文書）と比較先画像（オリジナル文書）のレイアウトが同じである場合（ステップＳ１５３０でＹＥＳ）、ステップＳ１５４０に進む。一方、比較元画像と比較先画像のレイアウトが同じでない場合（ステップＳ１５３０でＮＯ）、ステップＳ１５５５に進む。
【手続補正５】
【補正対象書類名】明細書
【補正対象項目名】０１３３
【補正方法】変更
【補正の内容】
【０１３３】
次に、ステップＳ１５５０で、算出された類似度が第３閾値以上であるか否かを判定する。第３閾値未満である場合（ステップＳ１５５０でＮＯ）、ステップＳ１５５５に進む。一方、第３閾値以上である場合（ステップＳ１５５０でＹＥＳ）、ステップＳ１５６０に進む。